(57)【要約】【課題】  セット規格を一層コンパクトに構成して使い勝手を良くすることができる映像撮影装置を提供する。【解決手段】  カメラユニットを通して入力された映像情報の記録／再生のためのデッキユニット及び回路基板が内蔵される本体と、デッキユニットに映像記録媒体のカセット着脱のために開閉されるよう本体の一側に回動自在な状態で設けられるハウジングドアを本体の前方に開閉されるようにし、映像記録媒体のカセットはカメラユニットの対物レンズ側から接眼レンズ側に装着されデッキユニットに収容されると同時に接眼レンズ側から対物レンズ側に取り出されるように構成する。【選択図】      図２
2005260957.tif 000002
【特許請求の範囲】
【請求項１】
カメラユニットを通して入力された映像情報の記録／再生のためのデッキユニット及び回路基板が内蔵される本体と、前記デッキユニットに映像記録媒体のカセット着脱のために開閉されるよう前記本体の一側に回動自在な状態で設けられるハウジングドアを含む映像撮影装置において、
前記ハウジングドアは前記本体の前方に回動自在に開閉され、前記映像記録媒体のカセットは前記カメラユニットの対物レンズ側から接眼レンズ側に向かって装着され、前記デッキユニットに収容されると同時に、前記カメラユニットの接眼レンズ側から対物レンズ側に向かうよう取り出されることを特徴とする映像撮影装置。
【請求項２】
前記映像記録媒体のカセットは、前記本体に対して縦方向に整列されたまま前後方向に出入りして前記デッキユニットに収容されることを特徴とする請求項１に記載の映像撮影装置。
【請求項３】
前記デッキユニットは、ヘッドドラムが前記カメラユニットの接眼レンズ側に偏向配置されるよう縦方向に設けられることを特徴とする請求項１に記載の映像撮影装置。
【請求項４】
前記ハウジングドアは、前記デッキユニットと接続するために、前記デッキユニットの複数のヒンジフレームに結合される複数のリンクを含むことを特徴とする請求項１に記載の映像撮影装置。
【請求項５】
前記ハウジングドアは、前記デッキユニットに回動自在な状態で結合されるハウジングフレームと、前記ハウジングフレームの外側を包むように設けられるドアフレームをさらに含み、
前記複数のリンクは前記ハウジングフレームに設けられることを特徴とする請求項４に記載の映像撮影装置。
【請求項６】
前記ハウジングドアは、前記ハウジングフレームの回動範囲を拘束して限定するためのガイド長孔と、該ガイド長孔に結合されるガイドピンをさらに含むことを特徴とする請求項４に記載の映像撮影装置。
【請求項７】
前記ハウジングドアは、前記ドアフレームの回動範囲を拘束して限定するためのガイド長孔と、該ガイド長孔に結合されるガイドピンをさらに含むことを特徴とする請求項４に記載の映像撮影装置。
【発明の詳細な説明】
【技術分野】
【０００１】
本発明はカムコーダのような小型携帯用映像撮影装置に係り、さらに詳しくは磁気テープのような映像記録媒体の着脱方向を再配置してセット規格をさらにコンパクトに構成した映像撮影装置に関する。 
【背景技術】
【０００２】
最近、各種行事や趣味及びレジャーなどに主に使用されている小型で携帯可能なハンディ用映像撮影装置の普及が急激に延びつつある傾向である。このような映像撮影装置はディジタル技術の発展に伴ってディジタル映像の使用が拡大されるにつれ、既存のアナログ方式製品をディジタルカメラとディジタルカムコーダなどが代替して行く実情である。
【０００３】
一般に、カムコーダは周知のようにテープレコーダとカメラの機能を一体化することによって所望の映像情報を録画して再生したり編集できるようになっている。このようなカムコーダは撮影姿勢によってヘルドハンド型(手で持って撮影する外形)と、ショルダ型(肩に載せて撮影する外形)とに区分され、ショルダ型は高価なので殆んどプロ装備であり、ヘルドハンド型は小型軽量化した製品であって家庭用として幅広く普及されている。
【０００４】
通常、家庭用の小型携帯用ヘルドハンドカムコーダはその外観の形状構造によってシューティング型またはバーチカル型に区分され呼ばれ、シューティング型は拳銃などのように横軸の長さよりは横軸長が長く形成された外形構造を持って、バーチカル型は横軸長より縦軸長がさらに長く形成された外形構造を有する。
【０００５】
しかし、従来の通常の家庭用ヘルドハンド型カムコーダの場合、図１に示したようにカメラユニット１１０が一体に形成された本体１２０の外装ケースに内蔵されるよう設けられたデッキユニット(図示せず)にテープカセット(図示せず)を着脱できるよう開閉可能に設けられるハウジングドア１３０はその外形構造のモデルとは関係なく主に上方または下方に開閉される構造を持っている。
【０００６】
このようなハウジングドアの開閉構造によれば、ハウジングドアの作動のための協力機構構造物の配置などによってセットの外形構造上横の長さを一定サイズに形成しなければならないため、さらにコンパクトなセットの具現に限界を持つ問題点がある。また、ハウジングドアが下方に開閉される構造の場合、セット作動時テープカセットの下方垂れ現象などによって駆動安定感が低下する問題点がある。
【発明の開示】
【発明が解決しようとする課題】
【０００７】
従って、本発明は前述したような従来の映像撮影装置が持つ問題点に鑑みてこれを解決するために創案されたもので、その目的はセット規格をさらにコンパクトに構成して使い勝手を良くすることができる映像撮影装置を提供するところにある。
【課題を解決するための手段】
【０００８】
前述したような目的を達成するために本発明に係る映像撮影装置は、カメラユニットを通して入力された映像情報の記録／再生のためのデッキユニット及び回路基板が内蔵される本体と、前記デッキユニットに映像記録媒体のカセット着脱のために開閉されるよう前記本体の一側に回動自在な状態で設けられるハウジングドアを含む映像撮影装置において、前記ハウジングドアは前記本体の前方に開閉され、前記映像記録媒体のカセットは前記カメラユニットの対物レンズ側から接眼レンズ側に装着され前記デッキユニットに収容されると同時に、前記接眼レンズ側から対物レンズ側に取り出されることを特徴とする。
【０００９】
前述した構成を有する本発明に係る映像撮影装置において、前記映像記録媒体のカセットは前記本体に対して縦方向に整列されたまま前後方向に出入りして前記デッキユニットに収容されることが好ましい。
【００１０】
そして、前記デッキユニットはヘッドドラムが前記カメラユニットの接眼レンズ側に偏向配置されるよう縦方向に設けられることが好ましい。
【発明の効果】
【００１１】
本発明に係る映像撮影装置によれば、磁気テープのような映像記録媒体のカセットを縦方向に立ててセットの前方から後方に着脱できるようデッキユニットのハウジングドア開閉構成を改善することによって、セットの横軸長さを一層縮めコンパクトな外形構造が得られると共に、よりコンパクトで小型化されるセットの取り扱いの際に使い勝手と操作性が大幅に改善された効果が期待される。
【発明を実施するための最良の形態】
【００１２】
以下、添付した図面に基づき本発明に係る映像撮影装置の好ましい実施例を詳述する。
【００１３】
図２に示したように、本発明に係る映像撮影装置２００は示したようにカメラユニット２１０を通して入力された被写体の映像情報記録／再生のための記録媒体駆動用デッキユニット２３０と、回路基板(図示せず)などが内蔵される本体２２０と、デッキユニット２３０に映像記録媒体のカセット(Ｃ)の着脱のために開閉されるよう本体２２０の一側に回動自在な状態に設けられるハウジングドア２４０とを含んでなる。
【００１４】
前述の構成を有する本発明の映像撮影装置２００によれば、ハウジングドア２４０は本体２２０の前方に開閉され、映像記録媒体のカセット（Ｃ）はカメラユニット２１０の対物レンズ２１１側で接眼レンズ２１２側に向かうように装着され、デッキユニット２３０に収容されると同時に、接眼レンズ２１２側から対物レンズ２１１側に向かって取り出されることができるよう構成されている。
【００１５】
デッキユニット２３０は図面において詳細に示されていないが、磁気テープのスキャニングのためのヘッドドラムがカメラユニット２１０の接眼レンズ２１２側に偏向配置されるよう縦方向に設けられる。すなわち、通常のテープレコーダのデッキユニット配置方向を考慮してみる際、ハウジングドアがセットの上方または下方に開閉される映像撮影装置のデッキユニットはセットの上方または下方に向かうようヘッドドラムが配置され全体としては横方向の配置構造を有する一方、本発明に係る映像撮影装置のデッキユニット２３０は前述したような横方向配置構造でセットの左側または右側に９０°回転された縦方向に設けられる。
【００１６】
従って、本発明に係る映像撮影装置はテープカセットが本体２２０について縦方向に整列された状態でハウジングドア２４０を通してセットの前後方向に出入してデッキユニット２３０に着脱される。
【００１７】
ハウジングドア２４０は、図３に示したように、デッキユニット２３０に回動自在な状態で結合されるよう金属フレームで成形されたハウジングフレーム２４１と、ハウジングフレーム２４１の外側を包むよう複数のスクリュー（Ｓ）によって結合され、本体２２０の一側外観ケースの一部を形成するよう射出成形材よりなるドアフレーム２４２よりなる。
【００１８】
ハウジングフレーム２４１は、デッキユニット２３０のフレームの両側に突出形成された一対のヒンジフレーム２３１、２３２にそれぞれ通常のヒンジ(ｈ)構造で結合され回動自在な状態で設けられる一対のリンク２４１ａ、２４１ｂを備えている。ここで、図面の参照符号Ｇ及びＰはそれぞれハウジングフレーム２４１とドアフレーム２４２の回動範囲を拘束して限定づけるためのガイド長孔と、ガイド長孔Ｇに結合されるガイドピンを示す。
【００１９】
以上のような本発明に係る映像撮影装置の前方向ハウジングドアの開閉構成によれば、セットの作動時前向きに開閉されるハウジングドアを通してテープカセットを縦方向に出入りさせてデッキユニット２３０に着脱させられるので、セットの横軸長を一層縮めてコンパクトに作製できるので、シューティング型とバーチカル型の長所を同時に取れる改良された独特な外形構造を有するようになる。
【００２０】
本発明は前述した特定の好ましい実施例を挙げて説明してきたが、これに限らず、本発明は請求の範囲で請求する本発明の要旨を逸脱せず当該発明の属する技術分野において通常の知識を持つ者ならば誰でも多様な変形実施が可能なことは勿論、そのような変更は記載された請求範囲内にある。
【産業上の利用可能性】
【００２１】
本発明はカムコーダのような小型携帯用映像撮影装置に適用可能である。
【図面の簡単な説明】
【００２２】
【図１】従来の通常の映像撮影装置の一例としてカムコーダの外観を概略的に示した斜視図である。
【図２】本発明に係る映像撮影装置の一例としてカムコーダの外観を概略的に示した平面図である。
【図３】図２のハウジングドアを抜粋して示した概略的な斜視図である。
【符号の説明】
【００２３】
２１０  カメラユニット
２２０  本体
２３０  デッキユニット
２３１、２３２  ヒンジフレーム
２４０  ハウジングドア
２４１ａ、２４１ｂ  リンク
２４１  ハウジングフレーム
２４２  ドアフレーム
【図１】
2005260957.tif 000003
【図２】
2005260957.tif 000004
【図３】
2005260957.tif 000005